(57)【要約】【課題】受け側部品が嵌合側部品を嵌合状態に保持する保持力を高めることが可能なコネクタを提供する。【解決手段】嵌合側部品１０が受け側部品２０に嵌合されるコネクタＣであり、前記嵌合側部品１０は、ブロック形状をなす本体部１１と前記本体部１１の外面に立設されたロック部１５とを有し、前記受け側部品２０は、前方に開口して前記嵌合側部品１０の外側に嵌合可能なフード部２１を有し、前記ロック部１５のうち前記嵌合側部品１０と前記受け側部品２０との嵌合状態において前記フード部２１の開口側に臨む面には、前記受け側部品２０からの離脱方向に対して略直角に切り立つ係止面１６が設けられ、前記受け側部品２０が、前記フード部２１の内面に突設されて前記係止面１６に前記フード部２１の開口側から係止するロック突起３５を有している。【選択図】図１３
2017045667.tif 000002
【特許請求の範囲】
【請求項１】
嵌合側部品が受け側部品に嵌合されるコネクタであり、
前記嵌合側部品は、ブロック形状をなす本体部と前記本体部の外面に立設されたロック部とを有し、
前記受け側部品は、前方に開口して前記嵌合側部品の外側に嵌合可能なフード部を有し、
前記ロック部のうち前記嵌合側部品と前記受け側部品との嵌合状態において前記フード部の開口側に臨む面には、前記受け側部品からの離脱方向に対して略直角に切り立つ係止面が設けられ、
前記受け側部品が、前記フード部の内面に突設されて前記フード部の開口側から前記係止面に係止するロック突起を有しているコネクタ。
【請求項２】
前記フード部が、前記本体部の外面に沿う形状をなす本体嵌合部と、前記ロック部の外面に沿って対向配置された一対の壁部を有するロック受け部と、を備え、
前記ロック突起が前記ロック受け部の内面に突設されている請求項１に記載のコネクタ。
【請求項３】
前記ロック受け部が、前記一対の壁部に架け渡された架設部を備えている請求項２に記載のコネクタ。
【請求項４】
前記ロック受け部に、前記一対の壁部の間に治具を挿入可能な開口部が設けられている請求項２または請求項３に記載のコネクタ。
【請求項５】
前記ロック突起のうち前記フード部の開口側に臨む面が、前記開口側から奥側に向かって次第に突出寸法が増す傾斜面とされている請求項１ないし請求項４のいずれか一項に記載のコネクタ。
【請求項６】
前記受け側部品が、前記フード部の開口に沿って設けられた補強部を備えている請求項１ないし請求項５のいずれか一項に記載のコネクタ。
【発明の詳細な説明】
【技術分野】
【０００１】
本発明は、コネクタに関する。
【背景技術】
【０００２】
従来、ブロック形状をなす嵌合側部品が、受け側部品に嵌合されるコネクタが知られている。受け側部品は、嵌合側部品の外側に嵌合可能なフード部を備えている。
【０００３】
この種のコネクタとして、例えば下記特許文献１には、ブロック形状をなすダイオードコネクタを、コネクタハウジングに嵌合するものが記載されている。ダイオードコネクタをコネクタハウジングに嵌合状態に保持するための係止構造として、このコネクタは、コネクタハウジングのフード部の外側に一段突出する形態で突出部を備える。突出部は、フード部から外側へ立ち上がる縦壁と、縦壁の先端から略直角方向に突出する横壁とを備えている。突出部は、フード部の開口側の端部に設けられ、横壁の突出端は、フード部と切り離されている。一方、ダイオードコネクタの外面には、コネクタハウジングとの嵌合時に、フード部の奥側から突出部の横壁に係止可能なロック部（下記特許文献１では不図示）が設けられている。ダイオードコネクタのロック部がフード部の突出部に係止することにより、ダイオードコネクタがコネクタハウジングに嵌合状態で保持される。
【先行技術文献】
【特許文献】
【０００４】
【特許文献１】特開２０１１−１８７３０２号公報
【発明の概要】
【発明が解決しようとする課題】
【０００５】
ところで、上記のような構成の係止構造は、突出部の横壁が外側に開きやすいので、係止状態が容易に解除される。これは、嵌合側部品を受け側部品に嵌合した後に、係止構造の外周面にテープを巻き付けて固定することを前提としているからである。そこで、テープ巻きを不要にしてコスト低減を図るためにも、受け側部品が嵌合側部品を保持する保持力を高めることが望まれていた。
【０００６】
本発明は上記のような事情に基づいて完成されたものであって、受け側部品が嵌合側部品を嵌合状態に保持する保持力を高めることが可能なコネクタを提供することを目的とする。
【課題を解決するための手段】
【０００７】
本発明は、嵌合側部品が受け側部品に嵌合されるコネクタであり、前記嵌合側部品は、ブロック形状をなす本体部と前記本体部の外面に立設されたロック部とを有し、前記受け側部品は、前方に開口して前記嵌合側部品の外側に嵌合可能なフード部を有し、前記ロック部のうち前記嵌合側部品と前記受け側部品との嵌合状態において前記フード部の開口側に臨む面には、前記受け側部品からの離脱方向に対して略直角に切り立つ係止面が設けられ、前記受け側部品が、前記フード部の内面に突設されて前記フード部の開口側から前記係止面に係止するロック突起を有しているものである。
【発明の効果】
【０００８】
本発明によれば、ロック突起が変位しにくいので、ロック突起と係止面との係止状態が容易に解除されない。したがって、受け側部品が嵌合側部品を嵌合状態に保持する保持力を高めることができる。
【図面の簡単な説明】
【０００９】
【図１】本実施例におけるコネクタであって、嵌合側部品と受け側部品とを嵌合する前の状態を示す斜視図
【図２】嵌合側部品を示す斜視図
【図３】嵌合側部品を示す側面図
【図４】嵌合側部品を示す平面図
【図５】受け側部品を示す斜視図
【図６】斜め上後方から見た受け側部品を示す斜視図
【図７】受け側部品を示す正面図
【図８】受け側部品を示す側面図
【図９】受け側部品を示す平面図
【図１０】嵌合側部品と受け側部品とが嵌合した状態のコネクタを示す斜視図
【図１１】嵌合側部品と受け側部品とが嵌合した状態のコネクタを示す正面図
【図１２】嵌合側部品と受け側部品とが嵌合した状態のコネクタを示す平面図
【図１３】嵌合側部品と受け側部品とが嵌合した状態のコネクタを示す断面図であって、図１１のＡ−Ａ位置における断面に相当する断面図
【発明を実施するための形態】
【００１０】
本発明の好ましい形態を以下に示す。
本発明のコネクタは、前記フード部が、前記本体部の外面に沿う形状をなす本体嵌合部と、前記ロック部の外面に沿って対向配置された一対の壁部を有するロック受け部と、を備え、前記ロック突起が前記ロック受け部の内面に突設されているものとしてもよい。このような構成によれば、フード部が嵌合側部品の外形に沿う形状をなすから、受け側部品をコンパクトな形状にすることができる。
【００１１】
また、本発明のコネクタは、前記ロック受け部が、前記一対の壁部に架け渡された架設部を備えているものとしてもよい。このような構成によれば、一対の壁部が開き変形しにくいから、係止面とロック突起との係止状態をより確実に保持することができる。
【００１２】
また、本発明のコネクタは、前記ロック受け部に、前記一対の壁部の間に治具を挿入可能な開口部が設けられているものとしてもよい。このような構成によれば、開口部から一対の壁部の間に治具を挿入してロック部とロック突起との係止を解除し、受け側部品から嵌合側部品を取り外すことができる。
【００１３】
また、本発明のコネクタは、前記ロック突起のうち前記フード部の開口側に臨む面が、前記開口側から奥側に向かって次第に突出寸法が増す傾斜面とされているものとしてもよい。このような構成によれば、嵌合側部品のロック部がロック突起を乗り越えやすいから、嵌合側部品を受け側部品に嵌合する作業を容易に行うことができる。
【００１４】
また、本発明のコネクタは、前記受け側部品が、前記フード部の開口に沿って設けられた補強部を備えているものとしてもよい。このような構成によれば、フード部が変形しにくいから、受け側部品が嵌合側部品を嵌合状態に保持する保持力をより高めることができる。
【００１５】
＜実施例＞
以下、本発明を具体化した一実施例について、図１〜図１３を参照しつつ詳細に説明する。
本実施例におけるコネクタＣは、大容量のチップダイオード（図示せず）を内蔵した小型コネクタであり、整流作用を持たせるときに使用される。コネクタＣは、チップダイオードが内蔵された嵌合側部品１０と、嵌合側部品１０が嵌合される受け側部品２０とを備えている。以下、各構成部材において、相手側に対する嵌合方向前側を前方、その反対側（離脱方向）を後方、すなわち嵌合側部品１０においては図１の左上側が前方、右下側が後方、受け側部品２０においては図１の右下側が前方、左上側が後方とし、また、図１の上側を上方、下側を下方として説明する。
【００１６】
はじめに嵌合側部品１０について説明する。
嵌合側部品１０は、チップダイオードを樹脂封止する本体部１１と、チップダイオードに接続された接続端子１２とを備えている。接続端子１２は本体部１１から前方に突出している。
【００１７】
本体部１１は、図２〜図４に示すように、全体として直方体形状（略角ブロック形状）をなしている。本体部１１は、後端縁に沿って外側に突出する第１段差部１３と、側縁に沿って外側に突出する第２段差部１４とを有している。
【００１８】
第１段差部１３は、本体部１１の上下両面に設けられ、それぞれ本体部１１の上面から上側に、また下面から下側に突出している。第１段差部１３は、本体部１１の幅方向の全体にわたって形成されている。本体部１１の上面に設けられた第１段差部１３と下面に設けられた第１段差部１３とは概ね同じ突出寸法とされている。
【００１９】
第２段差部１４は、本体部１１の上面側のみに設けられ、本体部１１の上面から上側に突出している。第２段差部１４は、本体部１１の後部に設けられ、本体部１１の上面に設けられた第１段差部１３と繋がっている。第１段差部１３と第２段差部１４とは、概ね同じ突出寸法とされている。
【００２０】
本体部１１の上面には、ロック部１５が立設されている。ロック部１５は、本体部１１の側縁に沿って立つ壁状をなしている。ロック部１５は、本体部１１の前部（略半分）に設けられており、本体部１１の前端から第２段差部１４の前端までの間にわたっている。ロック部１５は、第２段差部１４と連続している。ロック部１５と第２段差部１４とは、同等の幅寸法を有している。
【００２１】
ロック部１５の後面（嵌合側部品１０と受け側部品２０との嵌合状態においてフード部２１の開口側に臨む面）には、受け側部品２０からの離脱方向に対して略直角に切り立つ係止面１６が形成されている。なお、係止面１６と第２段差部１４の上面との間は、丸く湾曲した丸み部１７とされている。
【００２２】
ロック部１５は、係止面１６よりも上方に突出する突部１８を有している。突部１８は、図３に示すように、側方から見ると山状をなし、前後両面が同等の勾配で傾斜している。突部１８の突出端面は、前後方向に略平行（水平）な面とされている。なお、ロック部１５のうち突部１８よりも前側の部分（以後、前部１９と称する）は、係止面１６と同等の高さ寸法を有している。
【００２３】
つぎに受け側部品２０について説明する。
受け側部品２０は、合成樹脂製であって、前方に開口して嵌合側部品１０の外側に嵌合可能なフード部２１と、電線Ｗの端末部に接続された端子金具Ｔが収容される端子収容部４０とを備えている。
【００２４】
端子収容部４０には、２室のキャビティ４１が設けられている。各キャビティ４１には、電線Ｗの端末部に接続された端子金具Ｔが後方から挿入され、ランス４２に係止されて抜け止めされる。端子収容部４０の前壁４３には、嵌合側部品１０の接続端子１２が挿入される貫通孔４４が形成されている。
【００２５】
フード部２１は、本体部１１の外面に沿う形状をなす本体嵌合部２２と、ロック部１５の外面に沿って対向配置された一対の壁部（以後、第１壁部２３Ｆおよび第２壁部２３Ｓと称する）を有するロック受け部２４と、を備えている。
【００２６】
本体嵌合部２２は、本体部１１の外面（上下両面および左右両面）に沿う角筒形状をなしている。本体嵌合部２２は、本体部１１の上面に沿う上壁２２Ａと、本体部１１の下面に沿う下壁２２Ｂと、本体部１１の左右両面に沿う一対の側壁２２Ｃとを備えている。
【００２７】
フード部２１は、図８に示すように、本体嵌合部２２の上面に設けられた第１補強部２５と、下面に設けられた第２補強部２６とを備えている。第１補強部２５および第２補強部２６は、フード部２１の開口端に沿って外向きに立っている。
【００２８】
第１補強部２５は、本体嵌合部２２の上面から上側に突設された基部２７と、基部２７の上面に立設された立設部２８とを備えている。立設部２８は、基部２７よりも前後方向の寸法が小さく、基部２７の前端に沿って設けられている。第１補強部２５は、ロック受け部２４を除くフード部２１の全幅に形成され、一端がロック受け部２４の第２壁部２３Ｓに繋がっている（図９参照）。
【００２９】
第２補強部２６は、本体嵌合部２２の下面において一段下方に突出している。第２補強部２６は、フード部２１の全幅にわたって形成されている。第２補強部２６の突出寸法および前後方向の寸法は、第１補強部２５の基部２７の突出寸法および前後方向の寸法と同等の寸法とされている。フード部２１のうち第２補強部２６の内側（上部）には、凹部２９が形成されている（図１３参照）。凹部２９には、本体部１１の下側に位置する第１段差部１３が入り込み可能とされている。
【００３０】
ロック受け部２４の第１壁部２３Ｆおよび第２壁部２３Ｓは、フード部２１の全長にわたって設けられている。第１壁部２３Ｆおよび第２壁部２３Ｓは、ロック部１５の幅寸法と同等の間隔をあけて対向している。第１壁部２３Ｆおよび第２壁部２３Ｓの高さ寸法は、第１補強部２５と同等の高さ寸法とされている（図８参照）。第１壁部２３Ｆおよび第２壁部２３Ｓの間の空間は、全体がフード部２１の内側の空間に連通している。
【００３１】
ロック受け部２４は、フード部２１の側縁に沿って立設されている。第１壁部２３Ｆは、フード部２１の側縁に沿い、第２壁部２３Ｓは、第１壁部２３Ｆと略平行をなして内側（フード部２１の幅方向における中央側）に位置している。
【００３２】
第１壁部２３Ｆは、フード部２１の側壁２２Ｃと同等の厚さ寸法を有している（図７参照）。第１壁部２３Ｆの前端上角部は、円弧形状をなす弧状部３１とされている（図１３参照）。第２壁部２３Ｓは、本体嵌合部２２の上壁２２Ａに対して略直角をなしている。
【００３３】
ロック受け部２４は、第１壁部２３Ｆおよび第２壁部２３Ｓの上端に架け渡された架設部３２を備えている。架設部３２は、ロック受け部２４の後端部に設けられている。ロック受け部２４の後端上部は架設部３２によって上面視略四角形状をなしている。ロック受け部２４のうち架設部３２より前方は、第１壁部２３Ｆおよび第２壁部２３Ｓの間の空間が上方に開放された開放部３３とされている。
【００３４】
ロック受け部２４には、第１壁部２３Ｆおよび第２壁部２３Ｓの間に治具を挿入可能な開口部３４が設けられている（図６参照）。開口部３４は、第１壁部２３Ｆおよび第２壁部２３Ｓと架設部３２とによって囲まれてなる。開口部３４は、ロック受け部２４の後端に設けられ、第１壁部２３Ｆおよび第２壁部２３Ｓの間の空間を後方に開放している。
【００３５】
ロック受け部２４の内面には、図１３に示すように、ロック突起３５が突設されている。ロック突起３５は、第１壁部２３Ｆの内面（第２壁部２３Ｓとの対向面）に形成されている。ロック突起３５は、前後方向に延びた形状をなし、前端は弧状部３１の後端に位置している。ロック突起３５の上下方向の寸法は、ロック部１５の突部１８を含む高さ寸法と同等とされている。なお、ロック突起３５の下端部のうち第１壁部２３Ｆからの突出端角部は、前後方向の略全体にわたり丸い形状とされている。
【００３６】
ロック突起３５の後面（開放部３３側の面）は、図１２に示すように、ロック部１５の係止面１６に係止する係止受け面３６とされている。係止受け面３６は、前後方向（嵌合側部品１０の離脱方向）に対して略直角に切り立った面とされ、第１壁部２３Ｆの壁面に対し略垂直をなしている。係止受け面３６は、ロック突起３５の後面の全体に形成されている。
【００３７】
ロック突起３５の前面（フード部２１の開口側に臨む面）は、フード部２１の開口側（前側）から奥側（後側）に向かって次第に突出寸法が増す傾斜面３７とされている。傾斜面３７は、ロック突起３５の後端に近い位置にわたって緩い傾斜をなして形成されている。なお、ロック突起３５の突出端面は、第１壁部２３Ｆの壁面に対し略平行をなしている。
【００３８】
つづいて、本実施例におけるコネクタＣの嵌合および離脱作業の一例を説明する。
コネクタＣを嵌合するには、接続端子１２を前側に向けて嵌合側部品１０を受け側部品２０に嵌合する。すると、嵌合側部品１０の本体部１１がフード部２１に入っていき、ロック部１５の前部１９がロック突起３５の傾斜面３７に当接する。嵌合側部品１０のさらなる押し込みに伴って第１壁部２３Ｆが次第に外側に開き、ロック部１５がロック突起３５を乗り越えると、第１壁部２３Ｆが内側に弾性復帰し、ロック突起３５の係止受け面３６がロック部１５の係止面１６と近接した位置で前後方向に対向する。こうして、ロック突起３５の係止受け面３６がロック部１５の係止面１６に係止し、コネクタＣが嵌合状態に保持される。以上により、コネクタＣの嵌合作業が完了する。
【００３９】
コネクタＣの嵌合状態では、図１０に示すように、嵌合側部品１０の本体部１１の略全体がフード部２１内に嵌合し、接続端子１２は端子収容部４０内に突出している。このとき、ロック部１５の前部１９および突部１８の前側の傾斜面は、架設部３２の下側に入り込んでおり、第２段差部１４は一対の壁部２３Ｆ，２３Ｓの間に入っている。また、ロック部１５の全体が、ロック受け部２４の開口部３４から後方に臨んでいる。
【００４０】
コネクタＣを離脱するには、ロック受け部２４の開口部３４から治具を挿入する。このとき、治具の先端が架設部３２によって第１壁部２３Ｆおよび第２壁部２３Ｓの間に案内されるから、治具の先端を第１壁部２３Ｆおよび第２壁部２３Ｓの間の空間の適切な位置に容易に挿入できる。ロック受け部２４の内側に挿入した治具の先端で、第１壁部２３Ｆを外側に押しつつロック部１５を前方に押し、ロック部１５の係止面１６とロック突起３５の係止受け面３６との係止を解除して嵌合側部品１０を取り外す。以上により、コネクタＣの離脱作業が完了する。
【００４１】
次に、上記のように構成された実施例の作用および効果について説明する。
本実施例のコネクタＣは、嵌合側部品１０が受け側部品２０に嵌合されるコネクタＣであり、嵌合側部品１０は、ブロック形状をなす本体部１１と本体部１１の外面に立設されたロック部１５とを有し、受け側部品２０は、前方に開口して嵌合側部品１０の外側に嵌合可能なフード部２１を有している。ロック部１５の後面（嵌合側部品１０と受け側部品２０との嵌合状態においてフード部２１の開口側に臨む面）には、受け側部品２０からの離脱方向に対して略直角に切り立つ係止面１６が設けられ、受け側部品２０は、フード部２１の内面に突設されてフード部２１の開口側から係止面１６に係止するロック突起３５を有している。
【００４２】
この構成によれば、ロック突起３５が変位しにくいので、ロック突起３５と係止面１６との係止状態が容易に解除されない。したがって、受け側部品２０が嵌合側部品１０を嵌合状態に保持する保持力を高めることができる。
【００４３】
また、フード部２１が、本体部１１の外面に沿う形状をなす本体嵌合部２２と、ロック部１５の外面に沿って対向配置された一対の壁部２３Ｆ，２３Ｓを有するロック受け部２４と、を備え、ロック突起３５がロック受け部２４の内面に突設されている。この構成によれば、フード部２１が嵌合側部品１０の外形に沿う形状をなすから、受け側部品２０をコンパクトな形状にすることができる。また、ロック突起３５がロック受け部２４の内面にあるから、外面に突設するのに比して小型化することができる。
【００４４】
また、ロック受け部２４が、一対の壁部２３Ｆ，２３Ｓに架け渡された架設部３２を備えている。この構成によれば、一対の壁部２３Ｆ，２３Ｓが開き変形しにくいから、係止面１６とロック受け部２４との係止状態をより確実に保持することができる。さらに、架設部３２によって、異物（電線や小型端子等）が外から一対の壁部２３Ｆ，２３Ｓの間に入り込むことを防ぐことができる。
【００４５】
また、ロック受け部２４に、一対の壁部２３Ｆ，２３Ｓの間に治具を挿入可能な開口部３４が設けられている。この構成によれば、開口部３４から一対の壁部２３Ｆ，２３Ｓの間に治具を挿入してロック部１５とロック突起３５との係止を解除し、受け側部品２０から嵌合側部品１０を取り外すことができる。
【００４６】
また、ロック突起３５の前面（フード部２１の開口側に臨む面）が、開口側から奥側に向かって次第に突出寸法が増す傾斜面３７とされている。この構成によれば、嵌合側部品１０のロック部１５がロック突起３５を乗り越えやすいから、嵌合側部品１０を受け側部品２０に嵌合する作業を容易に行うことができる。
【００４７】
また、受け側部品２０が、フード部２１の開口に沿って設けられた第１補強部２５および第２補強部２６を備えている。この構成によれば、フード部２１が変形しにくいから、受け側部品２０が嵌合側部品１０を嵌合状態に保持する保持力をより高めることができる。
【００４８】
＜他の実施例＞
本発明は上記記述及び図面によって説明した実施例に限定されるものではなく、例えば次のような実施例も本発明の技術的範囲に含まれる。
（１）上記実施例では、本発明をダイオード内臓コネクタＣに適用した場合を説明したが、これに限らず、本発明は各種のコネクタに適用することができる。
（２）上記実施例では、ロック突起３５が第１壁部２３Ｆに設けられているが、これに限らず、第２壁部に設けても良い。
（３）上記実施例では、フード部２１が、本体部１１の外面に沿う形状をなす本体嵌合部２２と、ロック部１５の外面に沿って対向配置された一対の壁部２３Ｆ，２３Ｓを有するロック受け部２４と、を備えているが、これに限らず、例えばフード部は、ロック部を含む嵌合側部品の全体を内側に収容可能な角筒状をなすものであってもよい。
（４）上記実施例では、ロック受け部２４が、一対の壁部２３Ｆ，２３Ｓに架け渡された架設部を備えているが、必ずしも架設部は備えなくても良い。
（５）上記実施例では、架設部３２が、一対の壁部２３Ｆ，２３Ｓの上端に架け渡されているが、これに限らず、例えば一対の壁部の後端に掛け渡されてもよい。
（６）上記実施例では、ロック受け部２４に、一対の壁部２３Ｆ，２３Ｓの間に治具を挿入可能な開口部３４が設けられているが、必ずしも開口部は設けなくても良い。
（７）上記実施例では、受け側部品２０が、フード部２１の開口に沿って設けられた第１補強部２５および第２補強部２６を備えているが、これに限らず、補強部を備えなくてもよく、またいずれか一方のみを備えても良い。
（８）上記実施例では、ロック部１５が本体部１１の上面に設けられているが、これに限らず、ロック部を、本体部の下面または左右側面のいずれかに設けてもよい。
（９）上記実施例では、ロック部１５が本体部１１の側縁に沿って設けられているが、これに限らず、例えばロック部は本体部の幅方向における中央部に設けられていてもよい。
【符号の説明】
【００４９】
Ｃ…コネクタ
１０…嵌合側部品
１１…本体部
１５…ロック部
１６…係止面
２０…受け側部品
２１…フード部
２２…本体嵌合部
２３Ｆ，２３Ｓ…一対の壁部
２４…ロック受け部
２５…第１補強部（補強部）
２６…第２補強部（補強部）
３２…架設部
３４…開口部
３５…ロック突起
３７…傾斜面
【図１】
2017045667.tif 000003
【図２】
2017045667.tif 000004
【図３】
2017045667.tif 000005
【図４】
2017045667.tif 000006
【図５】
2017045667.tif 000007
【図６】
2017045667.tif 000008
【図７】
2017045667.tif 000009
【図８】
2017045667.tif 000010
【図９】
2017045667.tif 000011
【図１０】
2017045667.tif 000012
【図１１】
2017045667.tif 000013
【図１２】
2017045667.tif 000014
【図１３】
2017045667.tif 000015